(57)【要約】【課題】  耕耘爪を機体前側に形成する管理機においては、耕耘爪の駆動反力により機体前側が浮くことを防止することを課題とする。【解決手段】  ミッションケース（１）から前方に向けて作業機フレーム（３５）を取り付け、該作業機フレーム（３５）の左右には前記耕耘爪（２３）の上方を覆う耕耘カバー（３３，３３）を前後方向軸芯回りに上下回動自在に連結し、作業機フレーム（３５）の前方にはゲージホイル（４０）を上下調節自在に支持し前下がり傾斜で配置される固定パイプ（４２）と、固定パイプ（４２）より前側にあってかつ固定パイプ（４２）の傾斜角度よりも急な角度で前下がりに配置する作業機取付具（７０）とを取り付ける構成としたことを特徴とする畝成形管理機とする。【選択図】図１
2009005663.tif 000002
【特許請求の範囲】
【請求項１】
左右中央に前後方向にわたって配置されるミッションケース（１）の前部に耕耘軸（２）を支持し、該耕耘軸（２）に耕耘爪（２３）を配設し、ミッションケース（１）の後部に車軸（３）を支持し、該車軸（３）に車輪（１４）を装着し、ミッションケース（１）の後方にはエンジン（５）を設け、ミッションケース（１）の上部にはエンジン（５）の上方を通過する操縦ハンドル（１０）の基部を装着する構成とし、
ミッションケース（１）から前方に向けて作業機フレーム（３５）を取り付け、該作業機フレーム（３５）の左右には前記耕耘爪（２３）の上方を覆う耕耘カバー（３３，３３）を前後方向軸芯回りに上下回動自在に連結し、作業機フレーム（３５）の前方にはゲージホイル（４０）を上下調節自在に支持し前下がり傾斜で配置される固定パイプ（４２）と、固定パイプ（４２）より前側にあってかつ固定パイプ（４２）の傾斜角度よりも急な角度で前下がりの軸からなる作業機取付具（７０）とを取り付ける構成としたことを特徴とする畝成形管理機。
【請求項２】
嵌合パイプ（７１ａ）に左右方向に延びる支持軸（７１ｂ）を取り付け、該支持軸（７１ｂ）の左右両端部にそれぞれ畝成形体（７１ｃ）を設けた畝成形具（７１）を作業機取付具（７０）に脱着自在に嵌合することを特徴とする請求項１記載の畝成形管理機。
【発明の詳細な説明】
【技術分野】
【０００１】
本発明は、主にネギの栽培を行う高畝の成形を行う畝成形管理機に関する。
【背景技術】
【０００２】
特許文献１にはネギを植えた畝に土寄せするためのネギ管理機がある。
【特許文献１】特開平７−２３６３０６号公報
【発明の開示】
【発明が解決しようとする課題】
【０００３】
ところで特許文献１のようなネギ管理機のように耕耘爪を機体前側に形成する管理機においては、耕耘爪の駆動反力により機体前側が浮く場合がある。
本発明は、機体前側を重くすることで上記課題を解決することを課題とする。
【課題を解決するための手段】
【０００４】
上記に鑑み、請求項１に記載の発明は、左右中央に前後方向にわたって配置されるミッションケース（１）の前部に耕耘軸（２）を支持し、該耕耘軸（２）に耕耘爪（２３）を配設し、ミッションケース（１）の後部に車軸（３）を支持し、該車軸（３）に車輪（１４）を装着し、ミッションケース（１）の後方にはエンジン（５）を設け、ミッションケース（１）の上部にはエンジン（５）の上方を通過する操縦ハンドル（１０）の基部を装着する構成とし、
ミッションケース（１）から前方に向けて作業機フレーム（３５）を取り付け、該作業機フレーム（３５）の左右には前記耕耘爪（２３）の上方を覆う耕耘カバー（３３，３３）を前後方向軸芯回りに上下回動自在に連結し、作業機フレーム（３５）の前方にはゲージホイル（４０）を上下調節自在に支持し前下がり傾斜で配置される固定パイプ（４２）と、固定パイプ（４２）より前側にあってかつ固定パイプ（４２）の傾斜角度よりも急な角度で前下がりの軸からなる作業機取付具（７０）とを取り付ける構成としたことを特徴とする畝成形管理機とする。
【０００５】
請求項２記載の発明においては、嵌合パイプ（７１ａ）に左右方向に延びる支持軸（７１ｂ）を取り付け、該支持軸（７１ｂ）の左右両端部にそれぞれ畝成形体（７１ｃ）を設けた畝成形具（７１）を作業機取付具（７０）に脱着自在に嵌合することを特徴とする請求項１記載の畝成形管理機とする。
【発明の効果】
【０００６】
請求項1の発明によれば、作業機フレーム（３５）の前方にはゲージホイル（４０）を上下調節自在に支持し前下がり傾斜で配置される固定パイプ（４２）と、固定パイプ（４２）より前側にあってかつ固定パイプ（４２）の傾斜角度よりも急な角度で前下がりの軸からなる作業機取付具（７０）とを取り付ける構成としたことで、機体前側の重量を重くすることができ、機体前側を浮き上がり難くすることができる。
【０００７】
請求項２の発明によれば、左右の畝成形体（７１ｃ）が一体となって作業機取付具（７０）に着脱できるため着脱作業がしやすい。
【発明を実施するための最良の形態】
【０００８】
以下、図面に基づいて、この発明の実施例を説明する。図１は畝成形管理機の側面図を示すもので、へ字型のミッションケース１の前側ケース１ａ下部には耕耘軸２を配置し、後側ケース１ｂ下部には車軸３を配置している。
【０００９】
上記ミッションケース１の後側ケース１ｂにはエンジンフレーム４を固定し、このエンジンフレーム４にエンジン５を載置している。また、前記ミッションケース１の頂部に走行変速レバー６用のシフタステー７、耕耘変速レバー８用のシフタステー９等を配設する。
【００１０】
さらに前記ミッションケース１の頂部には、左右一対からなる操縦ハンドル１０の基部を装着するもので、該操縦ハンドルはエンジン４上部の燃料タンク１１、マフラ１２の上方を迂回すべく後方に延長して設けられる。該操縦ハンドル１０の基部をミッションケース１の頂部に装着されたブラケット部材１３に横軸１４を介して軸支してなり、上下調節可能の構成である。即ちこのブラケット部材１３は、コ型断面のカバー部１３ａと、ハンドル角度調節パネル部１３ｂとを溶接一体化して、ミッションケース１の頂部にボルト止めされる構成である。角度調節パネル部１３には上下方向に複数の係止穴を形成して、ハンドルと一体に設ける係止突起１３ｃを着脱できる公知の構成である。
【００１１】
前記エンジン５の駆動力はミッションケース１の後側ケース１ｂ内の伝動機構を経て前記車軸３に伝達され該車軸３に装着された車輪１４，１４を回転駆動する。
一方前記エンジン５の駆動力はミッションケース１の前側ケース１ａ内の伝動機構を経て前記耕耘軸２に伝達される構成である。
耕耘装置２０は、前記耕耘軸２と、この耕耘軸２に装着される耕耘爪群と、その上面を覆う後記耕耘カバーと、後記ゲージホイル等からなり、これら耕耘爪２３等によって土揚げ手段を構成する。このうち耕耘軸２には、複数の耕耘爪２３が配置される。即ち、耕耘軸２は前側ケース１ａの下部左右に突出するように設けられ、左右突出軸部に、３種の耕耘爪２３ａ，２３ｂ，２３ｃを配設した耕耘ボス軸２４が嵌合されてピン２５を介して連結される構成である。なお、軸端にはボルト２６を締め付けて座板２７を固定することによってボス軸２４の抜け止めを図っている。
【００１２】
耕耘ボス軸２４にはその軸芯方向の２箇所において、回転方向に１２０°ずつ位相をずらせて耕耘爪ホルダ３０を側面視で合計６個配設している。このホルダ３０のうち外側３個に夫々装着される外側耕耘爪２３ａ，２３ａ，２３ａは、先端を外向きに折曲形成した耕耘爪とされ、また内側３個に夫々装着される内側耕耘爪２３ｂ，２３ｂ，２３ｂは、先端が上記外側耕耘爪２３ａと同形態に形成され、かつ基部側は前側ケース１ａのメタル部を迂回するよう迂回形成された耕耘爪とされ、また内側耕耘爪２３ｂの装着ホルダ３０の間の第７番目のホルダ３０´には先端側が内向きに折曲されたナタ爪２３ｃとされる。
２８は、前部ケース１ａの下端後部側に取り付けた残耕処理刃で、ケース１ａ部から一対の取り付けステー２９，２９で取り付けられている。したがって、左右方向に狂いを生じ難く安定して残耕処理できる。
【００１３】
上記のように構成された耕耘装置２０は、進行方向（イ）に対しアップ回転（ロ）させると、外側耕耘爪２３ａと内側耕耘爪２３ｂの一対を１組として３組に構成され、これら３組が等配の３重螺旋構成となって、従来２組が限度であったが、これに比較して土が細かく均一に側方飛散させることができる。また、等配の構成としたので、作業時振動が少なく、オペレータの作業環境を良好となす。加えて、ナタ爪２３ｃが設けられたので残耕を少なくし溝の仕上がりを良好とすることができる。このため、ネギ等の畝成形のように土を高く揚げる作業において、３重螺旋配置の構成とすることによって硬い耕盤を細かく切り込みでき、爪進入を円滑化しひいては土揚げ作業を良好に実施できる。
【００１４】
耕耘爪２３ａ，２３ｂ，２３ｃの上面は左右の耕耘カバー３３，３３によって覆われる構成である。即ち、前側ケース１ａから前方に突出する状態に、断面コ型の作業機フレーム３５を、その基部の装着部３５ａをもって前部ケース１ａに取り付け装着している。なお作業機フレーム３５と装着部３５ａとは溶接手段によって一体化されている。
【００１５】
上記作業機フレーム３５には左右夫々前後２箇所にヒンジ部３６，３６を設け、前記耕耘カバー３３，３３を前後軸芯回りに上下回動自在に連結される。左右各耕耘カバー３３，３３に夫々設ける吊下ロッド３７，３７の上部側を前記作業機フレーム３５の上面に立設する支柱部材３８に重合させて締付具で共締めして耕耘カバー３３のうち、内側のカバー３３ａを固定する構成である。なお、耕耘カバー３３は、左右方向に拡縮可能に２枚のカバー３３ａ，３３ｂで構成され、長穴構成の伸縮手段で左右に拡縮できる構成となっている。３４は両カバー３３ａ，３３ｂの締付ボルトである。
【００１６】
前記作業機フレーム３５の後端部にはゲージホイル４０の支持パイプ４１を保持する固定パイプ４２を溶接手段によって固着してなる。なおこれら支持パイプ４１及び固定パイプ４２は矩形断面に形成され両者嵌合状態でかつ長手方向に摺動可能に設けられている。さらに、この固定パイプ４２の上端側には前記作業機フレーム３５に立設した支柱部材３８の上端を前側に折り曲げてその端部を溶接手段で固着することによって補強構造を構成している。また、固定パイプ４２の中間部と前部ケース１ａとを連結部材４３で連結することによって補強構造を構成している。ｆはゲージホイル４０の泥を落とすスクレーパである。
【００１７】
上記のように作業機フレーム３５とゲージホイル４０の固定パイプ４２との組み合わせ構成において、該固定パイプ４２を支柱部材３８及び連結部材４３との組み合わせによって補強する構成であるから、左右幅狭の耕耘部フレーム構成を簡素にして強固に構成できる。
【００１８】
上記ゲージホイル４０の支持パイプ４１の上端には図外雌ネジ体を固着し、上部からスクリュー螺子体４５を羅合し、該スクリュー螺子体４５をハンドル４６の正逆回転によって固定パイプ４２から下方への突出量を調節できる構成である。このゲージホイル４０の上下調節によって耕耘爪による耕耘量を調節できる構成である。
【００１９】
前記ゲージホイル４０の固定パイプ４２の後面には作業機取付プレート４７を溶接手段によって固着し、該作業機取付プレート４７の下部側には後部カバー４８を着脱自在に固定している。作業機取付プレート４７には、例えば畝側面を削り取る片削板（図示せず）を装着できる。４９はこの後部カバー４８の下端に接続するゴムカバー、５０は後部カバー４８の裏面と前記固定パイプ４２とを連結する補強プレートである。
【００２０】
前記左右耕耘カバー３３，３３の夫々外側端にはサイドカバー５１，５１を上下回動自在に前後方向軸５２，５２を介して設けている。この軸５２の支持構成は次の通りである。即ち、該サイドカバー５１の途中２箇所に設けられたブラケット５３，５３（図例では夫々コ字型）に形成した孔部５３ａ，５３ａに、前後端側を適宜耕耘カバー３３の外側端に固定された前後方向軸５２を貫通してなり、このブラケット５３，５３部において、一端を耕耘カバー３３に締付固定された板バネ５４ａ，５４ｂによって前後方向軸５２を上・下面側から押圧すべく構成する。この板バネ５４ａ，５４ｂは、サイドカバー５１を上下に回動調整するとその位置で保持可能になっている。したがって、各別のサイドカバー５１固定手段を必要とせず、その調節作業が極めて容易である。また、下面側から前後方向軸５２を覆う構成となるから、下方側から飛散する土が軸５２部隙間に侵入することを防止できる。
【００２１】
作業機フレーム３５の前側の作業機取付プレート４７には作業機取付具７０を取り付けている。作業機取付具７０は後端を作業機フレーム３５に取り付け前側に延びる取付部７０ａと、取付部７０ａの前端から前下がりに上下方向に延びる作業機取付軸７０ｂとから形成され、作業機取付軸７０ｂは取付部７０ａより突出部７０ｃを形成し、運搬時にロープ掛けができるようになっている。そして傾斜角度を固定パイプ４２よりも急角度に形成している。
【００２２】
作業機取付具７０には畝の側面を掘削する畝成形具７１を取り付ける。畝成形具７１は作業機取付軸７０ｂに嵌合する嵌合パイプ７１ａと、嵌合パイプから左右方向に延びる支持軸７１ｂと、支持軸７１ｂの左右両端部にそれぞれ棒状の畝成形体７１ｃとから形成される。すなわち、畝成形管理機が走行すると左右の畝成形体７１ｃがそれぞれ畝の側面に当接して掘削していく。
【００２３】
作業機取付具７０と畝成形具７１とが畝成形管理機の前端に設けることで管理機の前部の重量を上げることにより機体前後バランスが向上する。すなわち、耕耘爪２３が車輪１４よりも前側にある管理機において、耕耘爪２３の駆動反力で機体前側が浮き上がりやすくなるのを防止することができる。また、ゲージ輪４０の上方に畝成形具７０を配置する構成としたことで管理機の畝追従性が向上する。
【００２４】
また、左右の畝成形体７１ｃが一体形成されているので畝成形具７１を作業機取付軸７０に取り付けやすい。
なお、ハンドル１０のブラケット１３部に設ける構成としたから、耕耘カバー３３，３３の上方回動調節によっても干渉の恐れがない箇所に設定できる。
【００２５】
ハンドル１０の左右握り部近傍の構成について、図６、７に従い説明する。ハンドル１０の後端の握り部６０にサイドクラッチ（図示せず）の操作レバー６１を支持軸６２回りに上下回動自在に設けている。該支持軸６２は、上下半割り状のブラケット６３Ｕ，６３Ｄのうち、下半ブラケット６３Ｄに構成され、上下ブラケット６３Ｕ，６３Ｄをハンドルフレームを上下からはさみこむ状態で締付ボルト６４，６４によって装着できる構成としている。６５は操作レバー６１を握り部に接近させたサイドクラッチ入り状態で保持できるロック手段の解除レバーで、該解除レバー６５を軽く持ち上げ操作すると操作レバー６１の保持状態を解除してサイドクラッチ切り状態（下方回動状態）に復帰させる構成である。上半ブラケット６３Ｕは、アクセルレバー６７の取り付け台座を兼用している。
【００２６】
上記の操作レバー６１の上下ブラケット６３Ｕ，６３Ｄによる装着にあたり、ハンドルフレーム下面に沿うスペーサ６６を介在してこれら上下ブラケット６３Ｕ，６３Ｄを装着し（図７（Ｃ））、又はスペーサ６６を介在しないでこれら上下ブラケット６３Ｕ，６３Ｄを装着することを選択できる（同図（Ａ）（Ｂ））。
【００２７】
上記スペーサ６６を介在するとき（同図（Ｃ））は、サイドクラッチ入り状態に操作レバー６１操作保持するときは、ハンドル握り部と操作レバー６１との間に隙間（ハ）を形成でき、握り部のみ握って操縦できる。また、スペーサ６６を介在しないときは、ハンドル握り部と操作レバー６１とを同時に握って操作でき、結果として解除レバー６５の操作を適時に行うことができる。このようにオペレータの好みや体格に応じて適切な操縦感覚を得ることができる。なお、スペーサ６６の後部側に凸状６６ａを形成することにより、この凸状６６ａをもって操作レバー６１の上限ストッパに形成できる。
【図面の簡単な説明】
【００２８】
【図１】全体側面図
【図２】耕耘装置の背面図（A）、及び側面図（Ｂ）
【図３】要部の斜視図
【図４】耕耘カバーの背面図（Ａ）、その拡大図（Ｂ）
【図５】ハンドルブラケットの斜視図
【図６】ハンドル握り部の側面図
【図７】レバー操作の作用説明図（Ａ），（Ｂ），（Ｃ）
【図８】全体斜視図
【図９】作業機取付具及び畝成形具の着脱を示す斜視図
【符号の説明】
【００２９】
１  ミッションケース
２  耕耘軸
２３  耕耘爪
３  車軸
１４  車輪
５  エンジン
１０  操縦ハンドル
３５  作業機フレーム
３３  耕耘カバー
４０  ゲージホイル
４２  固定パイプ
７０  作業機取付具
７１  畝成形具
７１ａ  嵌合パイプ
７１ｂ  支持軸
７１ｃ  畝成形体
【図１】
2009005663.tif 000003
【図２】
2009005663.tif 000004
【図３】
2009005663.tif 000005
【図４】
2009005663.tif 000006
【図５】
2009005663.tif 000007
【図６】
2009005663.tif 000008
【図７】
2009005663.tif 000009
【図８】
2009005663.tif 000010
【図９】
2009005663.tif 000011